(57)【要約】覚醒無線（WUR）回路を有する無線受信局を覚醒させるための方法およびシステム。ある通信チャネルにおいて複数の受信局のために覚醒信号を提供する方法であって：波形符号化されたシンボルの複数の系列を生成する段階であって、各系列は、それぞれの受信局のために意図されており、それぞれのあらかじめ定義された帯域幅をもつ、それぞれの覚醒無線（WUR）フレームに組み込まれる、段階と；それぞれのWURフレームを、それらの覚醒無線フレームの前記あらかじめ定義された帯域幅の和よりも大きな帯域幅をもつ複数帯域WURデータ単位に組み合わせる段階と；前記複数帯域WURデータ単位を含む覚醒信号を前記通信チャネルにおいて送信する段階とを含む、方法。
2019537906.tif 000002
【特許請求の範囲】
【請求項１】
ある通信チャネルにおいて複数の受信局のために覚醒信号を提供する方法であって：
波形符号化されたシンボルの複数の系列を生成する段階であって、各系列は、それぞれの受信局のために意図されており、それぞれのあらかじめ定義された帯域幅をもつ、それぞれの覚醒無線（WUR）フレームに組み込まれる、段階と；
それぞれのWURフレームを、それらのWURフレームの前記あらかじめ定義された帯域幅の和よりも大きな帯域幅をもつ複数帯域WURデータ単位に組み合わせる段階と；
前記複数帯域WURデータ単位を含む覚醒信号を前記通信チャネルにおいて送信する段階とを含む、
方法。
【請求項２】
前記複数帯域WURデータ単位の帯域幅は20MHzであり、各WURフレームは5MHz以下の帯域幅をもち、隣り合うWURフレームの間には周波数保護帯域が含まれる、請求項１記載の方法。
【請求項３】
波形符号化されたシンボルの前記複数の系列は、第一のあらかじめ定義された帯域幅をもつ第一のWURフレームに組み込まれた第一の系列と、第二のあらかじめ定義された帯域幅をもつ第二のWURフレームに組み込まれた第二の系列と、第三のあらかじめ定義された帯域幅をもつ第三のWURフレームに組み込まれた第三の系列とを含み、
前記第一の系列における各波形符号化されたシンボルは、前記第一のあらかじめ定義された帯域幅の外側のすべてのサブキャリアが0に設定された第一の直交周波数分割多重（OFDM）波形に時間領域において波形符号化を適用することから生成され；
前記第二の系列における各波形符号化されたシンボルは、前記第二のあらかじめ定義された帯域幅の外側のすべてのサブキャリアが0に設定された第二のOFDM波形に時間領域において波形符号化を適用することから生成され；
前記第三の系列における各波形符号化されたシンボルは、前記第三のあらかじめ定義された帯域幅の外側のすべてのサブキャリアが0に設定された第三のOFDM波形に時間領域において波形符号化を適用することから生成され；
前記それぞれのWURフレームを複数帯域WURデータ単位に組み合わせることは、前記第一、第二および第三のWURフレームを加えることを含み、当該方法は、前記複数帯域WURデータ単位をアップコンバートして前記覚醒信号を提供することを含む、
請求項２記載の方法。
【請求項４】
前記第一、第二および第三のOFDM波形はみな64点IFFTから生成され、312.5kHzのサブキャリア間隔をもち、
前記第一のOFDM波形は前記第一のあらかじめ定義された帯域幅の中に14個のサブキャリアを含み、そのうち一つのサブキャリアは0に設定され、13個のサブキャリアが0でない値をもち；
前記第二のOFDM波形は前記第二のあらかじめ定義された帯域幅の中に14個のサブキャリアを含み、そのうち一つのサブキャリアは0に設定され、13個のサブキャリアが0でない値をもち；
前記第三のOFDM波形は前記第三のあらかじめ定義された帯域幅の中に14個のサブキャリアを含み、そのうち一つのサブキャリアは0に設定され、13個のサブキャリアが0でない値をもつ、
請求項３記載の方法。
【請求項５】
前記第一、第二および第三のOFDM波形の各OFDM波形の前記13個の0でないサブキャリアのうち、8個のサブキャリアは正の1に設定され、5個のサブキャリアは負の1に設定される、請求項４記載の方法。
【請求項６】
前記第一のOFDM波形の前記第一のあらかじめ定義された帯域幅は前記14個のサブキャリアS14ないしS27を含み、そのうち中央のサブキャリアS21が0に設定され、サブキャリアS15、S16、S19、S22、S24、S25、S26、S27はプラス1（＋1）に設定され、サブキャリアS14、S17、S18、S20、S22はそれぞれマイナス1（−1）に設定され；
前記第二のOFDM波形の前記第二のあらかじめ定義された帯域幅は前記14個のサブキャリアS-7ないしS6を含み、そのうち中央のサブキャリアS0が0に設定され、サブキャリアS-6、S-4、S-3、S-2、S-1、S1、S4、S5はプラス1（＋1）に設定され、サブキャリアS-7、S-5、S2、S3、S6はそれぞれマイナス1（−1）に設定され；
前記第三のOFDM波形の前記第三のあらかじめ定義された帯域幅は前記14個のサブキャリアS-28ないしS-15を含み、そのうち中央のサブキャリアS-21が0に設定され、サブキャリアS-28、S-26、S-25、S-22、S-20、S-18、S-16、S-15はプラス1（＋1）に設定され、サブキャリアS-27、S-24、S-23、S-19、S-17はそれぞれマイナス1（−1）に設定される、
請求項５記載の方法。
【請求項７】
前記第一のあらかじめ定義された帯域幅、第二のあらかじめ定義された帯域幅および第三のあらかじめ定義された帯域幅はそれぞれ4.1MHzより小さく、前記第一のWURフレームと前記第二のWURフレームの間に2.5MHzの保護帯域が含まれ、前記第二のWURフレームと前記第三のWURフレームの間に2.5MHzの保護帯域が含まれる、請求項３ないし６のうちいずれか一項記載の方法。
【請求項８】
前記波形符号化されたシンボルのそれぞれは、それぞれのデータ・ビットを表わし、保護区間と、それに続く等しい継続時間の第一および第二のサブシンボルとを含み、対応するデータ・ビットは、前記第一と第二のサブシンボルの間の異なる相対的なエネルギー分布によって表わされる、請求項１ないし７のうちいずれか一項記載の方法。
【請求項９】
前記データ・ビットは、データ「1」およびデータ「0」のビットを表わすためにオン‐オフ・キーイングを使って符号化され、データ「1」のビットは、前記第一のサブシンボルが前記第二のサブシンボルよりも高いエネルギーをもつ波形符号化されたシンボルによって表現され、データ「0」のビットは、前記第一のサブシンボルが前記第二のサブシンボルよりも低いエネルギーをもつ波形符号化されたシンボルによって表現される、請求項８記載の方法。
【請求項１０】
前記データ・ビットは、データ「1」およびデータ「0」のビットを表わすためにオン‐オフ・キーイングを使って符号化され、データ「0」のビットは、前記第一のサブシンボルが前記第二のサブシンボルよりも高いエネルギーをもつ波形符号化されたシンボルによって表現され、データ「1」のビットは、前記第一のサブシンボルが前記第二のサブシンボルよりも低いエネルギーをもつ波形符号化されたシンボルによって表現される、請求項８記載の方法。
【請求項１１】
各波形符号化されたシンボルの保護区間は実質的に0のエネルギーをもつ、請求項８ないし１０のうちいずれか一項記載の方法。
【請求項１２】
各波形符号化されたシンボルは4μsの継続時間をもち、各保護区間は0.8μsの継続時間をもち、各サブシンボルは1.6μsの継続時間をもつ、請求項８ないし１１のうちいずれか一項記載の方法。
【請求項１３】
前記複数帯域WURデータ単位はレガシー・プリアンブル・シンボルにアペンドされる、請求項１ないし１２のうちいずれか一項記載の方法。
【請求項１４】
前記受信局のそれぞれに対して、その受信局のために意図されるWURフレームの前記あらかじめ定義された帯域幅を示す通知を送信することを含む、請求項１ないし１３のうちいずれか一項記載の方法。
【請求項１５】
通信チャネルにおいて覚醒信号を送信するための送信器であって：
複数のWURフレームを含む複数帯域覚醒無線（WUR）データ単位を生成するよう構成された波形符号化モジュールであって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占め、前記WURデータ単位の帯域幅は、それらのWURフレームの前記あらかじめ定義された帯域幅の和よりも大きい、波形符号化モジュールと；
前記複数帯域WURデータ単位をキャリア周波数にアップコンバートし、前記複数帯域WURデータ単位を含む覚醒信号を前記通信チャネルにおいて送信するための変調器とを有する、
送信器。
【請求項１６】
前記複数帯域WURデータ単位の帯域幅は20MHzであり、各WURフレームの前記あらかじめ定義された帯域幅は5MHz以下であり、前記波形符号化モジュールは、隣り合うWURフレームの間には周波数保護帯域を含め、前記複数帯域WURデータ単位の帯域幅の端の周波数ではエッジ帯域を含めるよう構成される、請求項１５記載の送信器。
【請求項１７】
波形符号化されたシンボルの前記複数の系列は、第一のあらかじめ定義された帯域幅をもつ第一のWURフレームに組み込まれた第一の系列と、第二のあらかじめ定義された帯域幅をもつ第二のWURフレームに組み込まれた第二の系列と、第三のあらかじめ定義された帯域幅をもつ第三のWURフレームに組み込まれた第三の系列とを含み、
前記第一の系列における各波形符号化されたシンボルは、前記第一のあらかじめ定義された帯域幅の中のOFDMサブキャリアに時間領域において波形符号化を適用することから生成され；
前記第二の系列における各波形符号化されたシンボルは、前記第二のあらかじめ定義された帯域幅の中のOFDMサブキャリアに時間領域において波形符号化を適用することから生成され；
前記第三の系列における各波形符号化されたシンボルは、前記第三のあらかじめ定義された帯域幅の中のOFDMサブキャリアに時間領域において波形符号化を適用することから生成され；
前記波形符号化モジュールは、前記第一、第二および第三のWURフレームを加えることによって、前記複数帯域WURデータ単位を生成する、
請求項１５記載の送信器。
【請求項１８】
前記OFDMサブキャリアは312.5kHzのサブキャリア間隔をもち、前記第一、第二および第三のあらかじめ定義された帯域幅のそれぞれの中のOFDMサブキャリアは14個のサブキャリアを含み、そのうち一つのサブキャリアは0に設定され、13個のサブキャリアが0でない値をもつ、請求項１６記載の送信器。
【請求項１９】
前記第一、第二および第三のOFDM波形の各OFDM波形の前記13個の0でないサブキャリアのうち、8個のサブキャリアは正の1に設定され、5個のサブキャリアは負の1に設定される、請求項１８記載の送信器。
【請求項２０】
複数のWURフレームをもつ複数帯域覚醒無線（WUR）データ単位を含む覚醒信号を受信する方法であって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占め、当該方法は：
受信された覚醒信号をダウンコンバートおよびフィルタリングして、前記あらかじめ定義されたWURフレーム帯域幅のうちの一つを選択し；
前記選択されたあらかじめ定義されたWURフレーム帯域幅を占める、前記WURフレーム内に組み込まれている波形符号化されたシンボルを復号することを含む、
方法。
【請求項２１】
波形符号化されたシンボルを復号することが、各波形符号化されたシンボルについてのビット値を、その波形符号化されたシンボルのサブシンボルの間の相対的なエネルギー分布に基づいて決定することを含む、請求項２０記載の方法。
【請求項２２】
前記フィルタリングは、少なくとも4でありかつ8以下のフィルタリング係数をもつフィルタにおいて実行される、請求項１９ないし２１のうちいずれか一項記載の方法。
【請求項２３】
覚醒無線受信器回路であって：
受信された覚醒信号を、複数のWURフレームをもつ複数帯域覚醒無線（WUR）データ単位を含むベースバンド信号にダウンコンバートするよう構成された変調器であって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占める、変調器と；
前記ベースバンド信号をフィルタリングして、前記あらかじめ定義されたWURフレーム帯域幅のうちの一つを選択するよう構成されたフィルタと；
前記選択されたあらかじめ定義されたWURフレーム帯域幅を占める前記WURフレーム内に組み込まれている前記波形符号化されたシンボルについてのビット値を、各波形符号化されたシンボルのサブシンボルの間の相対的なエネルギー分布に基づいて決定するよう構成されたエネルギー検出および判定動作とを有する、
覚醒無線受信器回路。
【請求項２４】
前記フィルタは、少なくとも4でありかつ8以下のフィルタリング係数をもつ、請求項２３記載の覚醒無線受信器回路。
【発明の詳細な説明】
【技術分野】
【０００１】
関連出願への相互参照
本願は、2017年4月18日に出願された「覚醒無線のための複数帯域スケジューリング」と題する米国特許出願第62/486,607号および2018年3月22日に出願された「覚醒無線のための複数帯域スケジューリング」と題する米国特許出願第15/928,953号の利益および優先権を主張するものである。これらすべての内容はここに参照によって組み込まれる。
【０００２】
技術分野
本願は、複数の覚醒無線装置と通信するための方法およびシステムに関する。
【背景技術】
【０００３】
無線通信において、利用可能な電力の効率的な使用はシステム設計の主要な目標の一つである。しばしば、モノのインターネット（IoT）アプリケーションのような無線ローカルエリアネットワーク（WLAN）装置は、（たとえば再充電可能なまたは再充電可能でない電池によって供給される）限られた電力供給に頼る。そのような装置の例は、リモート・フィールドに位置され、何らかの物理現象、たとえば水レベルまたは温度または位置を測定するセンサー装置；および何らかの身体機能、たとえば脈拍数を測定するウェアラブル装置を含みうる。
【０００４】
そのような装置は、低いデューティーサイクルで動作する（たとえば一日に一度だけアクセスポイント（AP）と通信する）よう設計されることがあり、よってそのWLAN受信器回路が常時オンであることは適切ではないことがある。WLAN受信器回路についての適切なスリープ・モードおよび適切な覚醒機構を設けられなければ、前記装置の限られた電力供給（たとえばバッテリー）はすぐに使い尽くされることがありうる。覚醒機構はAPと装置との間での覚醒信号の通信を必要とすることがある。いくつかのアプリケーションでは、APがスペクトル効率のよい仕方で同時に複数の装置と覚醒信号を通信できるようにすることが望ましいことがある。
【発明の概要】
【０００５】
第一の側面によれば、ある通信チャネルにおいて複数の受信局のために覚醒信号を提供する方法がある。本方法は、波形符号化されたシンボルの複数の系列を生成することを含み、各系列は、それぞれの受信局のために意図されており、それぞれのあらかじめ定義された帯域幅をもつ、それぞれの覚醒無線（WUR:  wake-up-radio）フレームに組み込まれる。それぞれのWURフレームはその後、それらのWURフレームの前記あらかじめ定義された帯域幅の和よりも大きな帯域幅をもつ複数帯域WURデータ単位に組み合わされる。前記複数帯域WURデータ単位を含む覚醒信号が前記通信チャネルにおいて伝送される。
【０００６】
任意的に、上記の側面のいずれかにおいて、前記複数帯域WURデータ単位の帯域幅は20MHzであり、各WURフレームは5MHz以下の帯域幅をもち、隣り合うWURフレームの間には周波数保護帯域が含まれる。
【０００７】
任意的に、上記の側面のいずれかにおいて、波形符号化されたシンボルの前記複数の系列は、第一のあらかじめ定義された帯域幅をもつ第一のWURフレームに組み込まれた第一の系列と、第二のあらかじめ定義された帯域幅をもつ第二のWURフレームに組み込まれた第二の系列と、第三のあらかじめ定義された帯域幅をもつ第三のWURフレームに組み込まれた第三の系列とを含む。前記第一の系列における各波形符号化されたシンボルは、前記第一のあらかじめ定義された帯域幅の外側のすべてのサブキャリアが0に設定された第一のOFDM波形に時間領域において波形符号化を適用することから生成され；前記第二の系列における各波形符号化されたシンボルは、前記第二のあらかじめ定義された帯域幅の外側のすべてのサブキャリアが0に設定された第二のOFDM波形に時間領域において波形符号化を適用することから生成され；前記第三の系列における各波形符号化されたシンボルは、前記第三のあらかじめ定義された帯域幅の外側のすべてのサブキャリアが0に設定された第三のOFDM波形に時間領域において波形符号化を適用することから生成される。いくつかの例では、それぞれのWURフレームを複数帯域WURデータ単位に組み合わせることは、前記第一、第二および第三のWURフレームを加えることを含む。本方法は、前記複数帯域WURデータ単位をアップコンバートして前記覚醒信号を提供することを含む。
【０００８】
任意的に、上記の側面のいずれかにおいて、前記第一、第二および第三のOFDM波形はみな64点IFFTから生成され、312.5kHzのサブキャリア間隔（subcarrier  spacing）をもつ；前記第一のOFDM波形は前記第一のあらかじめ定義された帯域幅の中に14個のサブキャリアを含み、そのうち一つのサブキャリアは0に設定され、13個のサブキャリアが0でない値をもつ；前記第二のOFDM波形は前記第二のあらかじめ定義された帯域幅の中に14個のサブキャリアを含み、そのうち一つのサブキャリアは0に設定され、13個のサブキャリアが0でない値をもつ；前記第三のOFDM波形は前記第三のあらかじめ定義された帯域幅の中に14個のサブキャリアを含み、そのうち一つのサブキャリアは0に設定され、13個のサブキャリアが0でない値をもつ。
【０００９】
任意的に、上記の側面のいずれかにおいて、前記第一、第二および第三のOFDM波形の各OFDM波形の前記13個の0でないサブキャリアのうち、8個のサブキャリアは正の1に設定され、5個のサブキャリアは負の1に設定される。
【００１０】
任意的に、上記の側面のいずれかにおいて、前記第一のOFDM波形の前記第一のあらかじめ定義された帯域幅は前記14個のサブキャリアS14ないしS27を含み、そのうち中央のサブキャリアS21が0に設定され、サブキャリアS15、S16、S19、S22、S24、S25、S26、S27はプラス1（＋1）に設定され、サブキャリアS14、S17、S18、S20、S22はそれぞれマイナス1（−1）に設定される；前記第二のOFDM波形の前記第二のあらかじめ定義された帯域幅は前記14個のサブキャリアS-7ないしS6を含み、そのうち中央のサブキャリアS0が0に設定され、サブキャリアS-6、S-4、S-3、S-2、S-1、S1、S4、S5はプラス1（＋1）に設定され、サブキャリアS-7、S-5、S2、S3、S6はそれぞれマイナス1（−1）に設定される；前記第三のOFDM波形の前記第三のあらかじめ定義された帯域幅は前記14個のサブキャリアS-28ないしS-15を含み、そのうち中央のサブキャリアS-21が0に設定され、サブキャリアS-28、S-26、S-25、S-22、S-20、S-18、S-16、S-15はプラス1（＋1）に設定され、サブキャリアS-27、S-24、S-23、S-19、S-17はそれぞれマイナス1（−1）に設定される。
【００１１】
任意的に、上記の側面のいずれかにおいて、前記第一のあらかじめ定義された帯域幅、第二のあらかじめ定義された帯域幅および第三のあらかじめ定義された帯域幅はそれぞれ4.1MHzより小さく、前記第一のWURフレームと前記第二のWURフレームの間に2.5MHzの保護帯域が含まれ、前記第二のWURフレームと前記第三のWURフレームの間に2.5MHzの保護帯域が含まれる。
【００１２】
任意的に、上記の側面のいずれかにおいて、前記波形符号化されたシンボルのそれぞれは、それぞれのデータ・ビットを表わし、保護区間と、それに続く等しい継続時間の第一および第二のサブシンボルとを含み、対応するデータ・ビットは、第一と第二のサブシンボルの間の異なる相対的なエネルギー分布によって表わされる。
【００１３】
任意的に、上記の側面のいずれかにおいて、データ・ビットは、データ「1」およびデータ「0」を表わすためにオン‐オフ・キーイング（on-off  keying）を使って符号化されてもよい。データ「1」のビットは、第一のサブシンボルが第二のサブシンボルよりも高いエネルギーをもつ波形符号化されたシンボルによって表現され、データ「0」のビットは、第一のサブシンボルが第二のサブシンボルよりも低いエネルギーをもつ波形符号化されたシンボルによって表現される。
【００１４】
任意的に、上記の側面のいずれかにおいて、データ・ビットは、データ「1」およびデータ「0」を表わすためにオン‐オフ・キーイング（on-off  keying）を使って符号化される。データ「0」のビットは、第一のサブシンボルが第二のサブシンボルよりも高いエネルギーをもつ波形符号化されたシンボルによって表現され、データ「1」のビットは、第一のサブシンボルが第二のサブシンボルよりも低いエネルギーをもつ波形符号化されたシンボルによって表現される。
【００１５】
任意的に、上記の側面のいずれかにおいて、各波形符号化されたシンボルの保護区間は実質的に0のエネルギーをもつ。
【００１６】
任意的に、上記の側面のいずれかにおいて、各波形符号化されたシンボルは4μsの継続時間をもち、各保護区間は0.8μsの継続時間をもち、各サブシンボルは1.6μsの継続時間をもつ。
【００１７】
任意的に、上記の側面のいずれかにおいて、前記複数帯域WURデータ単位はレガシー・プリアンブル・シンボルにアペンドされる。
【００１８】
任意的に、上記の側面のいずれかにおいて、本方法は、前記受信局のそれぞれに対して、その受信局のために意図されるWURフレームのあらかじめ定義された帯域幅を示す通知を送信することを含む。
【００１９】
任意的に、上記の側面のいずれかにおいて、本方法は、前記受信局のうちの一つにおいて前記覚醒信号を受信することを含み、その受信局は前記覚醒信号をフィルタリングして、その受信局のために意図されているWURフレームのあらかじめ定義された帯域幅を選択的に受信する。
【００２０】
第二の側面によれば、通信チャネルにおいて覚醒信号を送信するための送信器であって：複数のWURフレームを含む複数帯域覚醒無線（WUR）データ単位を生成するよう構成された波形符号化モジュールであって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占め、前記WURデータ単位の帯域幅は、それらのWURフレームの前記あらかじめ定義された帯域幅の和よりも大きい、波形符号化モジュールと；前記複数帯域WURデータ単位をキャリア周波数にアップコンバートし、前記複数帯域WURデータ単位を含む覚醒信号を前記通信チャネルにおいて送信するための変調器とを有する、送信器がある。
【００２１】
任意的に、上記の側面のいずれかにおいて、前記複数帯域WURデータ単位の帯域幅は20MHzであり、各WURフレームのあらかじめ定義された帯域幅は5MHz以下であり、前記波形符号化モジュールは、隣り合うWURフレームの間には周波数保護帯域を含め、前記複数帯域WURデータ単位の帯域幅の端の周波数ではエッジ帯域を含めるよう構成される。
【００２２】
任意的に、上記の側面のいずれかにおいて、波形符号化されたシンボルの前記複数の系列は、第一のあらかじめ定義された帯域幅をもつ第一のWURフレームに組み込まれた第一の系列と、第二のあらかじめ定義された帯域幅をもつ第二のWURフレームに組み込まれた第二の系列と、第三のあらかじめ定義された帯域幅をもつ第三のWURフレームに組み込まれた第三の系列とを含む。前記第一の系列における各波形符号化されたシンボルは、前記第一のあらかじめ定義された帯域幅の中のOFDMサブキャリアに時間領域において波形符号化を適用することから生成される。前記第二の系列における各波形符号化されたシンボルは、前記第二のあらかじめ定義された帯域幅の中のOFDMサブキャリアに時間領域において波形符号化を適用することから生成される。前記第三の系列における各波形符号化されたシンボルは、前記第三のあらかじめ定義された帯域幅の中のOFDMサブキャリアに時間領域において波形符号化を適用することから生成される。前記波形符号化モジュールは、前記第一、第二および第三のWURフレームを加えることによって、前記複数帯域WURデータ単位を生成する。
【００２３】
任意的に、上記の側面のいずれかにおいて、前記OFDMサブキャリアは312.5kHzのサブキャリア間隔をもち、前記第一、第二および第三のあらかじめ定義された帯域幅のそれぞれの中のOFDMサブキャリアは14個のサブキャリアを含み、そのうち一つのサブキャリアは0に設定され、13個のサブキャリアが0でない値をもつ。
【００２４】
任意的に、上記の側面のいずれかにおいて、前記第一、第二および第三のOFDM波形の各OFDM波形の前記13個の0でないサブキャリアのうち、8個のサブキャリアは正の1に設定され、5個のサブキャリアは負の1に設定される。
【００２５】
第三の側面によれば、複数のWURフレームをもつ複数帯域覚醒無線（WUR）データ単位を含む覚醒信号を受信する方法があり、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占める。本方法は、受信された覚醒信号をダウンコンバートおよびフィルタリングして、前記あらかじめ定義されたWURフレーム帯域幅のうちの一つを選択し；前記選択されたあらかじめ定義されたWURフレーム帯域幅を占める前記WURフレーム内に組み込まれている波形符号化されたシンボルを復号することを含む。
【００２６】
任意的に、上記の側面のいずれかにおいて、波形符号化されたシンボルを復号することは、各波形符号化されたシンボルについてのビット値を、その波形符号化されたシンボルのサブシンボルの間の相対的なエネルギー分布に基づいて決定することを含む。
【００２７】
任意的に、上記の側面のいずれかにおいて、前記フィルタリングは、少なくとも4でありかつ8以下のフィルタリング係数をもつフィルタにおいて実行される。
【００２８】
第四の側面によれば、覚醒無線受信器回路であって：受信された覚醒信号を、複数のWURフレームをもつ複数帯域覚醒無線（WUR）データ単位を含むベースバンド信号にダウンコンバートするよう構成された変調器であって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占める、変調器と；前記ベースバンド信号をフィルタリングして、前記あらかじめ定義されたWURフレーム帯域幅のうちの一つを選択するよう構成されたフィルタと；前記選択されたあらかじめ定義されたWURフレーム帯域幅を占める前記WURフレーム内に組み込まれている波形符号化されたシンボルについてのビット値を、各波形符号化されたシンボルのサブシンボルの間の相対的なエネルギー分布に基づいて決定するよう構成されたエネルギー検出および判定動作とを有する、覚醒無線受信器回路がある。
【００２９】
任意的に、上記の側面のいずれかにおいて、前記フィルタは、少なくとも4でありかつ8以下のフィルタリング係数をもつ。[...]
【００３０】
もう一つの側面によれば、第一の側面の方法に従って覚醒信号を受信する方法であって、前記覚醒信号をフィルタリングして前記あらかじめ定義されたWURフレーム帯域幅のうちの一つを選択的に受信することを含む方法が提供される。
【００３１】
さらなる側面によれば、通信チャネルにおいて覚醒信号を提供する送信器であって、上記の方法に従って覚醒信号を提供するよう構成された波形符号化モジュールを有する送信器がある。
【００３２】
さらなる側面によれば、第一の側面の方法に従って覚醒信号を受信する局〔ステーション〕であって、前記覚醒信号をフィルタリングしてその受信する局のために意図された前記WURフレームの前記あらかじめ定義された帯域幅を選択的に受信することを含む方法が提供される。
【００３３】
もう一つの側面によれば、上記で要約された側面および実施形態に従って送信された覚醒信号を受信するための方法および受信器がある。
【図面の簡単な説明】
【００３４】
ここで例として付属の図面を参照する。図面は本願の例示的実施形態を示す。
【００３５】
【図１】APと覚醒無線回路をもつ例示的な局との間の通信を示すブロック図である。
【００３６】
【図２】APとそれぞれの覚醒無線回路をもつ複数の局との間の通信を示すブロック図である。
【００３７】
【図３】例示的な覚醒無線データ単位のための複数帯域フレーム・フォーマットを示す図である。
【００３８】
【図４】ある例示的実施形態に基づく、複数帯域覚醒フレーム・エンコード・システムを示すブロック図である。
【００３９】
【図５Ａ】図４のシステムにおいて使われる例示的な第一のサブバンド波形の周波数領域および時間領域表現を示す図である。
【００４０】
【図５Ｂ】図４のシステムにおいて使われる例示的な第二のサブバンド波形の周波数領域および時間領域表現を示す図である。
【００４１】
【図５Ｃ】図４のシステムにおいて使われる例示的な第三のサブバンド波形の周波数領域および時間領域表現を示す図である。
【００４２】
【図６】複数帯域覚醒フレームを復号する覚醒受信器回路を示すブロック図である。
【００４３】
異なる図において同様の構成要素を表わすために同様の参照符号が使われたことがありうる。
【発明を実施するための形態】
【００４４】
無線ローカルエリアネットワーク（WLAN）のような無線ネットワークにおいて動作することが意図されているマシン型通信装置またはセンサー装置のようなユーザー装置または局は、より高電力のWLANトランシーバー回路に加えて、別個の低電力の覚醒無線（WUR）回路を有することがある。WUR回路は一般に、覚醒信号を受信および検出するために設計された低電力受信器回路であり、いくつかの例では、主要なWLANトランシーバー回路の簡略化されたバージョンであってもよく、集積回路（IC）またはチップ上に実装されてもよい。WUR回路は当該装置のWLANトランシーバー回路または他の等価な回路と通信し、よって、WLANトランシーバー回路は、WUR回路がWLANトランシーバー回路を覚醒させるまで、スリープになり、電力を節約することができる。WUR回路がアクセスポイントAP（典型的にはWLAN装置に関連付けされたAP）からの覚醒信号を検出するとき、WUR回路はWLANトランシーバー回路または他の等価な回路を覚醒させる。
【００４５】
これに関し、図１は、例示的なAP  １０２と、該AP  １０２に関連付けされた例示的な局１０４とを示す概略図である。例示的実施形態において、局１０４は低デューティーサイクルのWLAN装置または他の無線装置である。例示的な局１０４はWLANトランシーバー回路１０６（たとえばWi-Fiトランシーバー）およびWUR回路１０８を含む。AP  １０２はWLANトランシーバー回路１１０を含む。例示的実施形態では、WUR回路１０８は、送信器をもたない単純な低電力受信器であり、必要とされるときにWLANトランシーバー回路１０６を覚醒させるはたらきをする。
【００４６】
図１は、スリープ中のWLANトランシーバー回路１０６を覚醒させるために通信されうる例示的信号の組を示している。AP  １０２は、覚醒無線（WUR）データ単位２００（下記でさらに述べる）を担持する覚醒信号１５２を局１０４に送ってもよい。WURデータ単位２００はWUR回路１０８によって検出され、WUR回路１０８は内部的な覚醒信号１５４をWLAN受信器回路１０６に送って、もしWLAN受信器回路１０６がスリープ・モードにあればWLANトランシーバー回路１０６を覚醒させる。次いで、WLANトランシーバー回路１０６はACK信号１５６をAP  １０２に送り返す。次いで、AP  １０２と局１０４との間の（WLANトランシーバー回路１０６を介した）適切な情報交換１５８が行なわれてもよい。情報交換１５８が終了した後、WLANトランシーバー回路１０６はスリープ状態に戻ってもよい。
【００４７】
図１は覚醒信号１５２がWLANトランシーバー回路１０６に関連付けられているWUR回路１０８に通信されることを示しているが、本開示において記載されるプロセスおよびシステムは、覚醒機構から恩恵を受けうる、他の無線受信器回路を含む他の回路に適用可能であってもよい。
【００４８】
たとえばIoT用途を含むいくつかの用途では、局１０４の密な集団が少数のAP  １０２によってサービスされることがある。よって、本稿ではWUR信号のための複数帯域通信を容易にし、単一のAP  １０２が複数の局１０４に対して同じデータ単位２００を使って一意的なWURフレームを送ることを許容する例示的実施形態が記述される。これに関し、図２は、三つの局１０４−１、１０４−２、１０４−３に同時に通信される複数帯域WURデータ単位２００を含む覚醒信号１５２を示している。各局はそれぞれのWUR回路１０８を含む。
【００４９】
複数帯域WURデータ単位２００のための例示的なフレーム・フォーマットが図３に示されている。図３に示されるさまざまなブロックの高さは各部分の相対的な帯域幅（BW）を示す。図３の例では、WURデータ単位２００は、複数帯域WUR単位２０１の前に付されたレガシー・プリアンブル２１０を含む。レガシー・プリアンブル２１０は、ネットワーク内のレガシー装置を沈黙させるために含められ、レガシー設備が動作すると予期されないいくつかの例では省略されてもよい。レガシー・プリアンブル２１０が省略される応用では、WURデータ単位２００は複数帯域WUR単位２０１と同一になる。複数帯域WUR単位２０１は三つの並行するWURフレーム２５０−１、２５０−２および２５０−３（一般的にWURフレーム２５０とも称される）を含み、そのそれぞれが、局１０４−１、１０４−２、１０４−３のそれぞれについての一意的な情報を含むことができる。例示的実施形態では、レガシー・プリアンブル２１０は20MHzのチャネル帯域幅（CHBW）を占め、WURフレーム２５０−１、２５０−２および２５０−３のそれぞれは、チャネル帯域幅CH  BWのうちのそれぞれの一意的な4.1MHzのサブバンドBW-1、BW-2およびBW-3を占める。図示した実施形態では、隣接するWURフレーム２５０−１および２５０−２は周波数において保護帯域GBによって離間されており、隣接するWURフレーム２５０−２および２５０−３も周波数においてさらなる保護帯域GBによって離間されている。さらに、図示した実施形態において、WURフレーム２５０−１の外側の周波数境界にはエッジ帯域EBが設けられ、WURフレーム２５０−３の外側の周波数境界には同様のエッジ帯域EBが設けられる。
【００５０】
下記でより詳細に説明するように、例示的実施形態において、複数帯域WUR単位２０１は、通常の802.11直交周波数分割多重（OFDM）シンボルであって、数値設定〔ヌメロロジー〕パラメータ：サブキャリア（トーン）数＝64；有用シンボル継続時間Tu＝3.2μs；サブキャリア間隔SS＝312.5kHz；帯域幅＝20MHzをもつものから導出される。例示的実施形態では、14個のサブキャリアがWURフレーム２５０−１、２５０−２、２５０−３のそれぞれのために割り当てられ、7個のサブキャリアが各保護帯域GBのために割り当てられ、4個のサブキャリアが各エッジ帯域EBのために割り当てられ、64個のサブキャリアの割り当ては次の表のように表せる。
【表１】
2019537906.tif 000003
【００５１】
各WURフレーム２５０−１、２５０−２、２５０−３は、それぞれの局１０４−１、１０４−２、１０４−３について固有であることができ、各WURフレーム２５０−１、２５０−２、２５０−３は以下のフィールドを含むことができる：WUR参照信号フィールド２５２；WUR信号（SIG）フィールド２５４；MACヘッダ２６２；フレーム本体２６４；およびフレーム検査シーケンス（frame  check  sequence）（FCS）２６６。ある例示的実施形態では、WUR参照信号フィールド２５２は覚醒信号プリアンブル、たとえば擬似ノイズ（pseudo  noise）（PN）シーケンスを含んでいてもよい。WUR信号（SIG）フィールド２５４は制御信号を含んでいてもよい。MACヘッダ２６２は受信器アドレスを含んでいてもよい。MACヘッダ２６２、フレーム本体２６４およびFCS  ２６６はまとめてWURフレーム２５０のペイロードと称されてもよい。いくつかの例では、WURフレーム２５０−１、２５０−２、２５０−３は図３で特定されたフレーム・フィールドの一つまたは複数を省いてもよく、および／または追加的なフィールドを含んでいてもよい。
【００５２】
WUR参照信号２５２は、パケット検出および同期のために提供される。いくつかの例では、WUR参照信号２５２は、それぞれの局１０４−１、１０４−２、１０４−３において他のフレームと異なるものとしてWURフレーム２５０を検出するためにWUR回路１０８によって使用されることができ、WUR回路１０８がWURフレーム２５０に同期することを許容する短トレーニング・フィールド（short  training  field）（STF）を含んでいてもよい。いくつかの例では、WUR参照信号２５２は、フレーム同期を容易にするためにWUR回路１０８において相関付けされることのできるシーケンスを含んでいてもよい。
【００５３】
例示的実施形態では、各局１０４−１、１０４−２、１０４−３のWUR回路１０８は単純な低電力消費の受信器回路として実装され、よってWURフレーム２５０は、低電力WUR回路１０８における効率的かつ正確な復号を可能にするよう設計される。これに関し、図３においてWFC符号化部分２６８として示されている、WUR参照信号２５２に続くWURフレーム２５０の部分のために、時間領域の波形符号化（waveform  coding）（WFC）が使われる。例示的実施形態では、それぞれの局１０４−１、１０４−２、１０４−３のWUR回路１０８においてフィルタリングが適用されて、それぞれのWURフレーム２０５−１、２５０−２、２５０−３を複数帯域WUR単位２０１から分離する。典型的には、フィルタにおけるフィルタ係数（たとえばタップの数）を増すことは、フィルタリングの精度を増し、これは複数帯域環境において有益であるが、それはフィルタのコストおよび複雑さをも増す。さらに、シミュレーションは、WFC信号のいくつかの例では、WUR回路１０８におけるフィルタにおいて使われるタップの数が多いほど、シンボル間干渉が発生する可能性が高くなることを示している。よって、本稿では、いくつかの用途において、シンボル間干渉（inter-symbol  interference）（ISI）と、電力消費と、隣接帯域干渉との間のトレードオフを最適にするフィルタ係数をもつフィルタを使ってWUR受信器において復号されることのできる、複数帯域波形符号化されたWURフレームのフォーマットを提供しうる例示的実施形態が記述される。
【００５４】
図４は、波形符号化を用いるWURシステムを示す基本的なシステムブロック図である。図４は、上記の表１に示したフォーマットをもつ複数帯域WUR単位２０１を生成するためにAPトランシーバー１１０において適用されるプロセス・フローを示している。APトランシーバー１１０において実行されるとして示されている処理ブロック３００、３０４−１、３０４−２、３０４−３、３０６、３０７、３０８のそれぞれは、たとえばモジュールとしてまたは一つまたは複数の集積回路の一部としての要素として実装されてもよい動作を表わす。
【００５５】
図４の例では、各局１０４−１、１０４−２、１０４−３のために、それぞれ二値のオン‐オフ・キーイング（on-off  keying）（OOK）でマッピングされた源データ２８０−１、２８０−２、２８０−３の形で、一意的な源データが提供される。例示的実施形態では、源データ２８０−１、２８０−２、２８０−３は、エンコードして、それぞれWURフレーム２５０−１、２５０−２、２５０−３のWFC符号化部分２６８に含めるためのビットを含む。APトランシーバー１１０は、それぞれの源データ２８０−１、２８０−２、２８０−３のための並列な処理経路２８５−１、２８５−２、２８５−３を実装する。
【００５６】
OOKマッピングされた源データ２８０−１を処理し、エンコードして、対応するWURフレーム２５０−１を出力する際の第一の処理経路２８５−１の動作が、ここで、より詳細に記述される。いくつかの例では、源データ２８０−１は処理のためにKビットの諸グループにセグメント分けされる。誤り訂正を適用するおよび／またはデータを圧縮する（たとえばKビットをJビットの符号語にエンコードする）ための前方誤り訂正（FEC）エンコードが、FECエンコード動作３００によって二進データに適用されることができる。ただし、いくつかの実施形態ではそのようなエンコードは省略されてもよい。
【００５７】
処理経路２８５−１は、波形符号化動作３０６にシンボル波形４１０−１を提供する波形源３０４−１を含む。シンボル波形４１０−１は、あらかじめ定義された帯域幅（BW）およびあらかじめ定義されたサンプル数（N）を含むあらかじめ定義されたシンボル継続時間（Tu）内のあらかじめ定義されたエネルギー構成をもつ。これから述べるように、例示的実施形態において、シンボル波形４１０−１は、64点のIFFTから生成されるサブキャリアS14ないしS27から導出されるマルチキャリア波形である。今述べている例では、波形源３０４−１は、図５Ａに示される例示的な時間領域シンボル波形４１０−１のような直交周波数分割多重（OFDM）波形の、以前に生成された時間領域バージョンを記憶するメモリ３０５を含む。具体的には、ある例示的実施形態では、64点の逆高速フーリエ変換（IFFT）動作を含むOFDM波形生成器３０１−１が、周波数領域OFDMシンボル４０２−１を生成するために使われる。周波数領域OFDMシンボル４０２−１内で、帯域幅BW-1を占める割り当てられたサブキャリアS14ないしS27の部分集合が、シンボル波形４１０−１を提供するために使われる。
【００５８】
図５Ａの図示した例示的なシンボル４０２−１では、14個のサブキャリアS14ないしS27のグループにおける中央のサブキャリアS21はヌルであり、該グループにおける残りの13個のサブキャリアは次のように値を割り当てられる：サブキャリアS15、S16、S19、S22、S24、S25、S26、S27はプラス1（＋1）に設定され、サブキャリアS14、S17、S18、S20、S22はそれぞれマイナス1（−1）に設定される。残りのサブキャリアS-32ないしS-13およびS28ないしS31はそれぞれ0に設定される。図示した例では、シンボル４０２−１は、通常の802.11  OFDMシンボルであって、表１に関して上記した数値設定〔ヌメロロジー〕パラメータ：サブキャリア数＝64、うち使用されるサブキャリア数SCu＝14（ヌルのために使われるS21を含むサブキャリアS14ないしS27を含む）；有用シンボル継続時間Tu＝3.2μs；サブキャリア間隔SS＝312.5kHzをもつものから導出される。シンボル４０２−１の帯域幅BW-1は
【数１】
2019537906.tif 000004
である。図５Ａにおける波形４１０−１はOFDMシンボル４０２−１の時間領域バージョンを表わす。例示的実施形態では、OFDM時間領域波形４１０−１は、標準的な802.11のサンプリング・レート20MHzを使って生成され、よってOFDM波形４１０−１はN＝64個のサンプルを含む。
【００５９】
上記のように、例示的実施形態において、シンボル波形４１０−１を与えるためにOFDMシンボル生成器３０１−１によって実行される動作は、WURフレーム２５０−１の処理および伝送に先立つ構成時になされ、その後、AP  Tx/Rx  １１０によるWURフレーム２５０−１生成の時点で、波形源３０４−１が事前に記憶されたシンボル波形４１０−１の一連のコピーを提供する。こうして、WURフレーム２５０−１のために使われる各シンボル波形のためのIFFT動作の必要性をなくす。少なくともいくつかの例示的実施形態では、OFDM波形生成器３０１−１は構成設定可能であり、上述したのとは異なる数値設定パラメータをもつシンボル波形を生成するために使用できる。よって、記憶される波形は、必要であれば、変えられることができる。
【００６０】
図４の例では、OOK源データ２８０−１からエンコードされたJ個のデータ・ビットをJ個の一連の時間領域シンボル波形４１０−１に符号化するために、波形符号化動作３０６が使われる。ある例示的実施形態では、動作３０６において適用される波形符号化は、位相エンコード（phase  encoding）（PE）としても知られるマンチェスター符号化である。具体的には、マンチェスター符号化は、各データ・ビットのエンコードが、等しい時間の、低の次に高または高の次に低のいずれかである伝送路符号（line  code）である。よって、波形符号化動作３０６において、波形４１０−１は事実上、等しい継続時間（Tu/2）の二つのサブシンボルに分割され、それぞれの「0」のビットは二つのサブシンボルの組としてエンコードされ、それぞれの「1」のビットは二つのサブシンボルの組としてエンコードされる。ある例示的実施形態では、エンコードは下記の表２に示されるようになる。
【表２】
2019537906.tif 000005
【００６１】
代替的な構成では、ここに記載されるサブシンボルの順序はデータ・ビット0および1について逆にされることができることは理解されるであろう。
【００６２】
例示的実施形態では、「オフ」（OFF）のサブシンボルは実質的に空または0のエネルギーを含み、「オン」（ON）のサブシンボルは「オフ」のサブシンボルより高いエネルギー・レベルを含む。例示的実施形態では、「オン」のサブシンボル・エネルギーは、該「オン」のサブシンボルと同じ継続時間をもつシンボル波形４１０−１の対応する継続時間のエネルギーに一致する。波形符号化動作３０６はPE符号化を時間領域のシンボル波形４１０−１に適用する。これに関し、図５Ａは、データ「1」のWFCシンボル５２０−１およびデータ「0」のWFCシンボル５２０−０（一般的にWFCシンボル５２０と称される）を生成するためにOFDMシンボル波形４１０−１に適用される符号化を、図的に、時間領域において示している。
【００６３】
ある例示的実施形態では、波形符号化動作３０６の一部として、保護区間（GI）が各WFCシンボル５１０の前に付される。一例では、GIは継続時間Tgi＝0.8μs（たとえば有用シンボル継続時間Tuの1/4）をもち、各WFCシンボル５２０は継続時間Ttot＝Tu＋TGI＝4μsとなる。例示的実施形態において、保護区間GIは、継続時間TgiにわたってWFCシンボル５２０が振幅をもたないまたは無視できる振幅をもつよう、0エネルギー・サンプルを前に付加することによって生成される。これは、有用なシンボル継続時間Tuに含まれるシンボルの部分のための送信器エネルギーをブーストしうる。具体的には、シンボル当たりの送信器エネルギーは、パワースペクトル密度規制または送信器の電力増幅器によって決定される設定値に固定されており、よってGIのために使われるエネルギーが少ないほど、多くのエネルギーが、0でない「オン」サブシンボル部分のために使われることができる。
【００６４】
いくつかの例示的実施形態では、データ・シンボル５２０を生成するときに、標準的な802.11のサンプリング・レート20MHzが波形符号化動作３０６によって適用される。よって、データ「1」の場合、波形符号化された出力シンボル５２０−１はTtot＝4μsの継続時間およびL＝80個のサンプルをもち、次の順序で：波形３５０のGIサンプルに対応するM＝16個のサンプルを含む、継続時間Tgi＝0.8μsの保護区間と；GI部分に続く、シンボル波形３５０の部分からコピーされたN/2＝32個のサンプルを含む、継続時間Tu/2＝1.6μsの第一のサブシンボルSUB1と；サブキャリア・エネルギーが「0」に強制されたN/2＝32個のサンプルを含む、継続時間Tu/2＝1.6μsの第二のサブシンボルSUB2とを含む。図５Ａに示される例では、シンボル５２０−１は、TgiからTu/2＋Tgiまでの間（つまり0.8μsから2.4μsまでの間）の継続時間の間のほかは、無視できるまたは0のエネルギーをもつ。
【００６５】
データ「0」の出力シンボル５２０−０の場合、GI部分は同じままであり、サブシンボルSUB1とSUB2の順序が逆にされ、データ「0」の場合、波形符号化された出力シンボル５２０−０はTtot＝4μsの継続時間およびL＝80個のサンプルをもち、次の順序で：波形３５０のGIサンプルに対応するM＝16個のサンプルを含む、継続時間Tgi＝0.8μsの保護区間と；GI部分に続く、サブキャリア・エネルギーが「0」に強制されたN/2＝32個のサンプルを含む、継続時間Tu/2＝1.6μsの第一のサブシンボルSUB1と；シンボル波形３５０の最後の32個のサンプルからコピーされたN/2＝32個のサンプルを含む、継続時間Tu/2＝1.6μsの第二のサブシンボルSUB2とを含む。図５Ａに示される例では、シンボル５２０−１は、Tu/2＋TgiからTtotまでの間（つまり2.4μsから4μsまでの間）の継続時間の間のほかは、無視できるまたは0のエネルギーをもつ。
【００６６】
よって、例示的実施形態では、OOK源データ２８０−１からのJ個のデータ・ビットのそれぞれは、波形符号化動作３０６の出力において、それぞれのWFCシンボル５２０として表現される。各WFCシンボル５２０は、L個のサンプルに対応する、定義された全シンボル継続時間Ttotをもつ。各WFCシンボル５２０は二つの成分、つまりM個のサンプルに対応する先行保護区間継続時間Tgiをもつ先行GIと、該GIの直後にきて、N個のサンプルに対応する有用シンボル継続時間Tuをもつ有用シンボル成分とを含む。継続時間Tuの有用シンボルは、N/2個のサンプルに対応する等しい長さの継続時間Tu/2をそれぞれもつ二つのサブシンボルSUB1およびSUB2に分割される。二値のビット情報は、それら二つのサブシンボルSUB1およびSUB2が、低の次に高であるか高の次に低であるかによって表現される。GIに含まれる実際の信号値は重要ではないが、先述したように、低いまたは0エネルギーの信号を使うことは、シンボルの0でない領域における送信器エネルギーをブーストできる。例示的実施形態では、WFCシンボル５２０は、最小限の漏れで、定義されたBW内にはいるよう構成され、局１０４−１のWUR回路１０８における、低タップ・フィルタの使用を容易にする。
【００６７】
前段で述べた特性をもつWFCシンボル５２０が、図４に示したシステムに関して述べたもの以外の方法、コンポーネントおよびシンボル数値設定を使って生成できることは理解されるであろう。さらに、いくつかの例示的実施形態では、WFCシンボル５２０−０および５２０−１のコピーが事前に生成されて、波形源３０４においてメモリ３０５に記憶されることができ、波形符号化動作３０６は、OOK源データ２８０−１のOOK値に基づいて、出力するべき適切なWFCシンボルを選択する。
【００６８】
よって、例示的実施形態では、K個のOOK源データ・ビットの各組２８０−１は、波形符号化動作３０６の出力において、WFC部分２６８−１をなすJ個のWFCシンボル５２０の系列として表現される。次いで、WUR-REF信号２５２−１がWFC部分２６８−１の前に付加されて、WURフレーム２５０−１を完成させる。
【００６９】
処理経路２８５−２は、図５Ｂに示されるように波形源３０４−２は周波数領域波形４０２−２および時間領域波形４１０−２についてOFDMサブキャリアの異なる組を使うということのほかは、処理経路２８５−１に関して上記したのと同一の仕方で、OOKマッピングされた源データ２８０−２を処理し、エンコードして、対応するWURフレーム２５０−２を出力する。具体的には、OFDM波形生成器３０１−２は、64点の逆高速フーリエ変換（IFFT）動作を適用して周波数領域OFDMシンボル４０２−２を生成し、ここで、帯域幅BW-2を占める割り当てられたサブキャリアS-7ないしS6の部分集合が、シンボル波形４１０−２を提供するために使われる。図５Ｂの示されている例示的なシンボル４０２−２では、14個のサブキャリアS-7ないしS6のグループのうち中央のサブキャリアS0はDCヌルであり、グループにおける残りの13個のサブキャリアは次のように値を割り当てられる：サブキャリアS-6、S-4、S-3、S-2、S-1、S1、S4、S5はプラス1（＋1）に設定され、サブキャリアS-7、S-5、S2、S3、S6はそれぞれマイナス1（−1）に設定される。残りのサブキャリアS-32ないしS-8およびS7ないしS31はそれぞれ0に設定される。シンボル４０２−２の帯域幅BW-2は
【数２】
2019537906.tif 000006
である。図５Ｂにおける波形４１０−２は、OFDMシンボル４０２−２の時間領域バージョンを表わす。
【００７０】
処理経路２８５−３は、図５Ｃに示されるように波形源３０４−３は周波数領域波形４０２−３および時間領域波形４１０−３についてOFDMサブキャリアの異なる組を使うということのほかは、処理経路２８５−１および２８５−２に関して上記したのと同一の仕方で、OOKマッピングされた源データ２８０−３を処理し、エンコードして、対応するWURフレーム２５０−３を出力する。具体的には、OFDM波形生成器３０１−３は、64点の逆高速フーリエ変換（IFFT）動作を適用して周波数領域OFDMシンボル４０２−３を生成し、ここで、帯域幅BW-3を占める割り当てられたサブキャリアS-28ないしS-15の部分集合が、シンボル波形４１０−３を提供するために使われる。図５Ｃの示されている例示的なシンボル４０２−３では、14個のサブキャリアS-28ないしS-15のグループのうち中央のサブキャリアS-21はヌルであり、グループにおける残りの13個のサブキャリアは次のように値を割り当てられる：サブキャリアS-28、S-26、S-25、S-22、S-20、S-18、S-16、S-15はプラス1（＋1）に設定され、サブキャリアS-27、S-24、S-23、S-19、S-17はそれぞれマイナス1（−1）に設定される。残りのサブキャリアS-32ないしS-29およびS-14ないしS31はそれぞれ0に設定される。シンボル４０２−３の帯域幅BW-3は
【数３】
2019537906.tif 000007
である。図５Ｃにおける波形４１０−３は、OFDMシンボル４０２−３の時間領域バージョンを表わす。
【００７１】
上記のように、WURフレーム２５０−１、２５０−２、２５０−３に含まれるWFCシンボルはそれぞれ、64キャリアOFDMシンボルからのサブキャリアのそれぞれのグループから導出される。いくつかの例では、OFDM波形生成器３０１−１、３０１−２、３０１−３は、同じ64サブキャリアOFDM波形生成器の異なるサブキャリア・グループを使って実装される。例示的実施形態では、OFDMシンボル４０２−１、４０２−２、４０２−３のそれぞれの中で使われるトーン・パターンは、通常のOFDM  802.11長トレーニング・シーケンス（Long  Training  Sequence）（LTS）シンボルにおいて占められる対応するトーンに基づく（OFDMシンボル４０２−３は例外で、その場合、通常のLTSシンボルではS-28およびS-27はヌルなので、＋1のサブキャリアS-28および−1のサブキャリアS-27の値が加えられている）。図示した実施形態では、OFDMシンボル４０２−１、４０２−２、４０２−３のそれぞれは、プラス1（＋1）に対して8サブキャリアの集合を、マイナス1（−1）に対して5サブキャリアの集合を含む。しかしながら、代替的実施形態では、異なるトーン・パターンが用いられることができる。
【００７２】
このように、処理経路２８５−１、２８５−２、２８５−３はそれぞれ、三つの異なる周波数帯域において並行して、次のように信号を出力する：処理経路２８５−１は周波数帯域BW-1においてWURフレーム２５０−１を出力し；処理経路２８５−２は周波数帯域BW-2においてWURフレーム２５０−２を出力し；処理経路２８５−３は周波数帯域BW-3においてWURフレーム２５０−３を出力する。三つのWURフレーム２５０−１、２５０−２、２５０−３は加算回路３０７において、WFCシンボル５２０を生成することにおいて使われたのと同じサンプリング・レートを使って、同期されたサンプルごとの仕方で組み合わされて、複数帯域WUR単位２０１を生成する。複数帯域WUR単位２０１は、図３および表１に関して上記した特徴をもつ。レガシー・プリアンブル２１０が含められる例では、レガシー・プリアンブル２１０が複数帯域WUR単位２０１の前に付加されてWURデータ単位２００を形成する。次いで、WURデータ単位２００は変調器３０８においてチャネル・キャリア周波数にアップコンバートされ、覚醒信号１５２の一部として無線ネットワーク・チャネル４１０を通じて送信される。例示的実施形態では、エッジ・トーンがあればそれも含めて、送信されるシンボルが20MHzスペクトル・マスクの中にはいることを保証するために、802.11のために使われる同じ送信フィルタが、スペクトル・フィルタリングを提供するために使われる。
【００７３】
図６は、三つの目標局１０４−１、１０４−２、１０４−３と、無線チャネル４１０を通じて受信される覚醒信号１５２に含まれるWURデータ単位２００に関して三つのそれぞれのWUR回路１０８において実行される復号動作とを示している。いくつかの例では、WUR回路１０８で実行されるものとして示されている各処理ブロック３１０、３１２、３１４、３１６、３１８，３２０は、モジュールとしてまたは一つまたは複数の集積回路の一部である要素として実装されてもよい動作を表わす。図６に示されるように、各局１０４−１、１０４−２、１０４−３はそれぞれのフィルタ３１２−１、３１２−２、３１２−３（一般的にフィルタ３１２と称される）を含む。少なくともいくつかの例では、受信局１０４−１、１０４−２、１０４−３は、自分に割り当てられたWURフレーム２５０−１、２５０−２または２５０−３について、以前の通信の間に事前構成され、または事前に通知されており、各局１０４−１、１０４−２、１０４−３はそれぞれのWUR回路１０８のそれぞれのフィルタ３１２−１、３１２−２、３１２−３を、自分の割り当てられたWURフレーム２５０−１、２５０−２または２５０−３の帯域幅に同調させることができる。よって、ある例示的実施形態では、局１０４−１はそのフィルタ３１２−１を、4MHzの帯域幅をもち6.56MHzの中心周波数に対応するBW-1のための帯域通過フィルタとして構成し；局１０４−２はそのフィルタ３１２−２を、4MHzの帯域幅をもち0MHzの中心周波数に対応するBW-2のための低域通過フィルタとして構成し；局１０４−３はそのフィルタ３１２−３を、4MHzの帯域幅をもち−6.56MHzの中心周波数に対応するBW-3のための帯域通過フィルタとして構成する。いくつかの例では、フィルタ３１２は、帯域間干渉阻止とISIとの間で最適化するよう、8タップ・フィルタ（フィルタ係数＝8）である。いくつかの例では、それらのフィルタは、帯域間干渉阻止とISIとの間で最適化するが、電力消費削減により大きな重みをもつよう、4タップ・フィルタ（フィルタ係数＝4）である。
【００７４】
局１０４−１のWUR回路１０８における、受信されたWURデータ単位２００の処理をここで、ある例示的実施形態に基づいて、より詳細に述べる。受信されたWURデータ単位２００はWUR回路１０８において覚醒信号１５２の一部として受信され、変調器３１０においてベースバンドにダウンコンバートされる。次いで、ベースバンドWURデータ単位２００は、信号をWURフレーム２５０−１に対応する帯域幅BW-1に制約するために、フィルタ３１２−１においてフィルタリングされる。次いで、同期動作３１４が、受信されたWURフレーム２５０−１を処理して、WURフレーム２５０−１の受信されたWFC部分２６８−１Rに含まれているWFCシンボル５２０のシンボル境界に同期する。これに関し、いくつかの例示的実施形態では、同期動作３１４は、受信されたWURフレーム２５０−１におけるWUR参照信号２５２に頼って、WUR回路１０８がサンプル・タイミングを、復元されたWFC符号化部分２６８−１内に含まれる個々の復元されたWFCシンボル５２０の到来シンボル境界に同期させることができるようにする。これにより、回復されたWFCシンボル５２０のそれぞれがエネルギー検出動作３１６および硬判定動作３１８によって逐次的に処理されることを可能にする。例示的実施形態では、電力検出動作３１６に先立ちまたは電力検出動作３１６の初期段階として、前に付加されたGIが、処理されるWFCシンボル５２０から除去される。次いで電力検出動作３１６が、第一および第二のサブシンボルSUB1およびSUB2のそれぞれにおける電力分布を測定する。たとえば、ある実施形態では、電力検出動作３１６は、WFCシンボル５２０を、波形符号化動作３０６において使われた同じ周波数（たとえば802.11の通常の20MHz）でサンプリングして、WFCシンボル５２０Rを次のように処理するよう構成される：最初のM個のサンプル（継続時間Tgiに対応）は破棄される；サブシンボルSUB1を表わす次のN/2個のサンプル（Tu/2の継続時間に対応）について平均電力分布値が決定される；サブシンボルSUB2を表わす次のN/2個のサンプル（Tu/2の継続時間に対応）についてさらなる平均電力分布値が決定される。20MHzのサンプリング・レートおよびTtot＝4μsの全シンボル時間の例では、破棄されるGIはM＝16個のサンプルを含み、第一のサブシンボルSUB1および第二のサブシンボルSUB2はそれぞれN/2＝32個のサンプルを含む。
【００７５】
判断ブロック３１８は、第一および第二のサブシンボルSUB1およびSUB2の間の平均電力分布値を比較して、対応するデータ「0」または「1」の判定をするよう構成される。示される例では、平均電力分布値の絶対値が第二のサブシンボルSUB2よりも第一のサブシンボルSUB1におけるほうが大きい場合、受信されるWFCシンボル５２０はデータ「1」として復号される；平均電力絶対値が第一のサブシンボルSUB1よりも第二のサブシンボルSUB2におけるほうが大きい場合、受信されるWFCシンボル５２０はデータ「0」として復号される。判断動作３１８からの一連のデータ・ビットが集められて、復元されたFEK  OOKデータを提供する。ここで、FEC復号動作３２０が適用されて、もとのOOK源データ２８０−１に対応する復元されたOOK源データ２８０−１Rを生成する。復元されたOOK源データ２８０−１Rはたとえば、局１０４−１の主要なWLANトランシーバー回路１０６のための内部覚醒心房１５４のための情報および命令を含んでいてもよい。
【００７６】
局１０４−２および１０４−３は、それぞれのOOK源データ２８０−２Rおよび２８０−３RをWURデータ単位２００から復元するよう同様に構成される。
【００７７】
WURデータ単位２００は三つの並行WURフレーム２５０−１、２５０−２、２５０−３がレガシー・プリアンブル２１０にアペンドされているものとして示されているが、データ単位２００は、三つより多いまたは三つより少ないWURフレームを含んでいてもよい。いくつかの実施形態では、レガシー・プリアンブル２１０の後に付加されるWURフレームの数は構成設定可能であってもよい。いくつかの実施形態では、WURフレームおよびその間の保護帯域の帯域幅ならびにレガシー・プリアンブル２１０の帯域幅内でのその周波数割り当てが構成設定可能であることができる。いくつかの例示的実施形態では、各WURフレームは5MHz以下の帯域幅を有していてもよい。
【００７８】
本開示は、開示される方法およびシステムの例を実装するためのある種の例示的なアルゴリズムおよび計算を提供することがあるが、本開示はいかなる特定のアルゴリズムまたは計算によっても束縛されない。
【００７９】
本開示はある種の順序の段階をもつ方法およびプロセスを記述することがあるが、該方法およびプロセスの一つまたは複数の段階は、適宜、省略または変更されてもよい。一つまたは複数の段階が、適宜、記載されている順序以外の順序で行なわれてもよい。
【００８０】
本開示は、少なくとも部分的には方法に関して記述されることがあるが、当業者は、本開示が、ハードウェア・コンポーネント、ソフトウェアまたは両者の組み合わせのいずれによるのであれ、記載される方法の側面および特徴の少なくとも一部を実行するためのさまざまなコンポーネントにも向けられることを理解するであろう。
【００８１】
本開示は、請求項の主題から外れることなく他の具体的な形で具現されてもよい。記載される例示的実施形態は、あらゆる点で、単に例解するものであって、制約するものではないと考えられるべきである。上記の実施形態の一つまたは複数からの選択された特徴が組み合わされて、明示的に記載されていない代替的な実施形態を作り出してもよい。そのような組み合わせのために好適な特徴は、本開示の範囲内で理解される。
【００８２】
開示される範囲内のあらゆる値および部分範囲も開示される。また、本願で開示され図示されるシステム、装置およびプロセスは特定の数の要素／コンポーネントを有することがありうるが、該システム、装置および組立体は、追加的なまたはより少数のそのような要素／コンポーネントを含むよう修正されることができる。たとえば、開示される要素／コンポーネントのいずれも、単数であるとして参照されることがあるが、開示される実施形態は複数のそのような要素／コンポーネントを含むよう修正されることができる。本稿に開示される主題は、技術におけるあらゆる好適な変化をカバーし、包含する。
【図１】
2019537906.tif 000008
【図２】
2019537906.tif 000009
【図３】
2019537906.tif 000010
【図４】
2019537906.tif 000011
【図５Ａ】
2019537906.tif 000012
【図５Ｂ】
2019537906.tif 000013
【図５Ｃ】
2019537906.tif 000014
【図６】
2019537906.tif 000015
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
ある通信チャネルにおいて複数の受信局のために覚醒信号を提供する方法であって：
波形符号化されたシンボルの複数の系列を生成する段階であって、各系列は、それぞれの受信局のために意図されており、それぞれのあらかじめ定義された帯域幅をもつ、それぞれの覚醒無線（WUR）フレームに組み込まれる、段階と；
それぞれのWURフレームを、それらのWURフレームの前記あらかじめ定義された帯域幅の和よりも大きな帯域幅をもつ複数帯域WURデータ単位に組み合わせる段階と；
前記複数帯域WURデータ単位を含む覚醒信号を前記通信チャネルにおいて送信する段階とを含む、
方法。
【請求項２】
前記複数帯域WURデータ単位の帯域幅は20MHzであり、各WURフレームは5MHz以下の帯域幅をもち、隣り合うWURフレームの間には周波数保護帯域が含まれる、請求項１記載の方法。
【請求項３】
波形符号化されたシンボルの前記複数の系列は、第一のあらかじめ定義された帯域幅をもつ第一のWURフレームに組み込まれた第一の系列と、第二のあらかじめ定義された帯域幅をもつ第二のWURフレームに組み込まれた第二の系列と、第三のあらかじめ定義された帯域幅をもつ第三のWURフレームに組み込まれた第三の系列とを含み、
前記第一の系列における各波形符号化されたシンボルは、前記第一のあらかじめ定義された帯域幅の外側のすべてのサブキャリアが0に設定された第一の直交周波数分割多重（OFDM）波形に時間領域において波形符号化を適用することから生成され；
前記第二の系列における各波形符号化されたシンボルは、前記第二のあらかじめ定義された帯域幅の外側のすべてのサブキャリアが0に設定された第二のOFDM波形に時間領域において波形符号化を適用することから生成され；
前記第三の系列における各波形符号化されたシンボルは、前記第三のあらかじめ定義された帯域幅の外側のすべてのサブキャリアが0に設定された第三のOFDM波形に時間領域において波形符号化を適用することから生成され；
前記それぞれのWURフレームを複数帯域WURデータ単位に組み合わせることは、前記第一、第二および第三のWURフレームを加えることを含み、当該方法は、前記複数帯域WURデータ単位をアップコンバートして前記覚醒信号を提供することを含む、
請求項２記載の方法。
【請求項４】
前記第一、第二および第三のOFDM波形はみな64点IFFTから生成され、312.5kHzのサブキャリア間隔をもち、
前記第一のOFDM波形は前記第一のあらかじめ定義された帯域幅の中に14個のサブキャリアを含み、そのうち一つのサブキャリアは0に設定され、13個のサブキャリアが0でない値をもち；
前記第二のOFDM波形は前記第二のあらかじめ定義された帯域幅の中に14個のサブキャリアを含み、そのうち一つのサブキャリアは0に設定され、13個のサブキャリアが0でない値をもち；
前記第三のOFDM波形は前記第三のあらかじめ定義された帯域幅の中に14個のサブキャリアを含み、そのうち一つのサブキャリアは0に設定され、13個のサブキャリアが0でない値をもつ、
請求項３記載の方法。
【請求項５】
前記第一、第二および第三のOFDM波形の各OFDM波形の前記13個の0でないサブキャリアのうち、8個のサブキャリアは正の1に設定され、5個のサブキャリアは負の1に設定される、請求項４記載の方法。
【請求項６】
前記第一のOFDM波形の前記第一のあらかじめ定義された帯域幅は前記14個のサブキャリアS14ないしS27を含み、そのうちサブキャリアS21が0に設定され、サブキャリアS15、S16、S19、S22、S24、S25、S26、S27はプラス1（＋1）に設定され、サブキャリアS14、S17、S18、S20、S23はそれぞれマイナス1（−1）に設定され；
前記第二のOFDM波形の前記第二のあらかじめ定義された帯域幅は前記14個のサブキャリアS-7ないしS6を含み、そのうちサブキャリアS0が0に設定され、サブキャリアS-6、S-4、S-3、S-2、S-1、S1、S4、S5はプラス1（＋1）に設定され、サブキャリアS-7、S-5、S2、S3、S6はそれぞれマイナス1（−1）に設定され；
前記第三のOFDM波形の前記第三のあらかじめ定義された帯域幅は前記14個のサブキャリアS-28ないしS-15を含み、そのうちサブキャリアS-21が0に設定され、サブキャリアS-28、S-26、S-25、S-22、S-20、S-18、S-16、S-15はプラス1（＋1）に設定され、サブキャリアS-27、S-24、S-23、S-19、S-17はそれぞれマイナス1（−1）に設定される、
請求項５記載の方法。
【請求項７】
前記第一のあらかじめ定義された帯域幅、第二のあらかじめ定義された帯域幅および第三のあらかじめ定義された帯域幅はそれぞれ4.1MHzより小さく、前記第一のWURフレームと前記第二のWURフレームの間に2.5MHzの保護帯域が含まれ、前記第二のWURフレームと前記第三のWURフレームの間に2.5MHzの保護帯域が含まれる、請求項３ないし６のうちいずれか一項記載の方法。
【請求項８】
前記波形符号化されたシンボルのそれぞれは、それぞれのデータ・ビットを表わし、保護区間と、それに続く等しい継続時間の第一および第二のサブシンボルとを含み、対応するデータ・ビットは、前記第一と第二のサブシンボルの間の異なる相対的なエネルギー分布によって表わされる、請求項１ないし７のうちいずれか一項記載の方法。
【請求項９】
前記データ・ビットは、データ「1」およびデータ「0」のビットを表わすためにオン‐オフ・キーイングを使って符号化され、データ「1」のビットは、前記第一のサブシンボルが前記第二のサブシンボルよりも高いエネルギーをもつ波形符号化されたシンボルによって表現され、データ「0」のビットは、前記第一のサブシンボルが前記第二のサブシンボルよりも低いエネルギーをもつ波形符号化されたシンボルによって表現される、請求項８記載の方法。
【請求項１０】
前記データ・ビットは、データ「1」およびデータ「0」のビットを表わすためにオン‐オフ・キーイングを使って符号化され、データ「0」のビットは、前記第一のサブシンボルが前記第二のサブシンボルよりも高いエネルギーをもつ波形符号化されたシンボルによって表現され、データ「1」のビットは、前記第一のサブシンボルが前記第二のサブシンボルよりも低いエネルギーをもつ波形符号化されたシンボルによって表現される、請求項８記載の方法。
【請求項１１】
各波形符号化されたシンボルの保護区間は実質的に0のエネルギーをもつ、請求項８ないし１０のうちいずれか一項記載の方法。
【請求項１２】
各波形符号化されたシンボルは4μsの継続時間をもち、各保護区間は0.8μsの継続時間をもち、各サブシンボルは1.6μsの継続時間をもつ、請求項８ないし１１のうちいずれか一項記載の方法。
【請求項１３】
前記複数帯域WURデータ単位はレガシー・プリアンブル・シンボルにアペンドされる、請求項１ないし１２のうちいずれか一項記載の方法。
【請求項１４】
前記受信局のそれぞれに対して、その受信局のために意図されるWURフレームの前記あらかじめ定義された帯域幅を示す通知を送信することを含む、請求項１ないし１３のうちいずれか一項記載の方法。
【請求項１５】
通信チャネルにおいて覚醒信号を送信するための送信器であって：
複数のWURフレームを含む複数帯域覚醒無線（WUR）データ単位を生成するよう構成された波形符号化モジュールであって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占め、前記WURデータ単位の帯域幅は、それらのWURフレームの前記あらかじめ定義された帯域幅の和よりも大きい、波形符号化モジュールと；
前記複数帯域WURデータ単位をキャリア周波数にアップコンバートし、前記複数帯域WURデータ単位を含む覚醒信号を前記通信チャネルにおいて送信するための変調器とを有する、
送信器。
【請求項１６】
前記複数帯域WURデータ単位の帯域幅は20MHzであり、各WURフレームの前記あらかじめ定義された帯域幅は5MHz以下であり、前記波形符号化モジュールは、隣り合うWURフレームの間には周波数保護帯域を含め、前記複数帯域WURデータ単位の帯域幅の端の周波数ではエッジ帯域を含めるよう構成される、請求項１５記載の送信器。
【請求項１７】
波形符号化されたシンボルの前記複数の系列は、第一のあらかじめ定義された帯域幅をもつ第一のWURフレームに組み込まれた第一の系列と、第二のあらかじめ定義された帯域幅をもつ第二のWURフレームに組み込まれた第二の系列と、第三のあらかじめ定義された帯域幅をもつ第三のWURフレームに組み込まれた第三の系列とを含み、
前記第一の系列における各波形符号化されたシンボルは、前記第一のあらかじめ定義された帯域幅の中のOFDMサブキャリアに時間領域において波形符号化を適用することから生成され；
前記第二の系列における各波形符号化されたシンボルは、前記第二のあらかじめ定義された帯域幅の中のOFDMサブキャリアに時間領域において波形符号化を適用することから生成され；
前記第三の系列における各波形符号化されたシンボルは、前記第三のあらかじめ定義された帯域幅の中のOFDMサブキャリアに時間領域において波形符号化を適用することから生成され；
前記波形符号化モジュールは、前記第一、第二および第三のWURフレームを加えることによって、前記複数帯域WURデータ単位を生成する、
請求項１５記載の送信器。
【請求項１８】
前記OFDMサブキャリアは312.5kHzのサブキャリア間隔をもち、前記第一、第二および第三のあらかじめ定義された帯域幅のそれぞれの中のOFDMサブキャリアは14個のサブキャリアを含み、そのうち一つのサブキャリアは0に設定され、13個のサブキャリアが0でない値をもつ、請求項１６記載の送信器。
【請求項１９】
前記第一、第二および第三のOFDM波形の各OFDM波形の前記13個の0でないサブキャリアのうち、8個のサブキャリアは正の1に設定され、5個のサブキャリアは負の1に設定される、請求項１８記載の送信器。
【請求項２０】
複数のWURフレームをもつ複数帯域覚醒無線（WUR）データ単位を含む覚醒信号を受信する方法であって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占め、当該方法は：
受信された覚醒信号をダウンコンバートおよびフィルタリングして、前記あらかじめ定義されたWURフレーム帯域幅のうちの一つを選択し；
前記選択されたあらかじめ定義されたWURフレーム帯域幅を占める、前記WURフレーム内に組み込まれている波形符号化されたシンボルを復号することを含む、
方法。
【請求項２１】
波形符号化されたシンボルを復号することが、各波形符号化されたシンボルについてのビット値を、その波形符号化されたシンボルのサブシンボルの間の相対的なエネルギー分布に基づいて決定することを含む、請求項２０記載の方法。
【請求項２２】
前記フィルタリングは、少なくとも4でありかつ8以下のフィルタリング係数をもつフィルタにおいて実行される、請求項２０または２１記載の方法。
【請求項２３】
覚醒無線受信器回路であって：
受信された覚醒信号を、複数のWURフレームをもつ複数帯域覚醒無線（WUR）データ単位を含むベースバンド信号にダウンコンバートするよう構成された変調器であって、各WURフレームはそれぞれの受信局のために意図された波形符号化されたシンボルの系列を組み込み、各WURフレームは、前記複数帯域WURデータ単位の帯域幅の中のそれぞれのあらかじめ定義された帯域幅を占める、変調器と；
前記ベースバンド信号をフィルタリングして、前記あらかじめ定義されたWURフレーム帯域幅のうちの一つを選択するよう構成されたフィルタと；
前記選択されたあらかじめ定義されたWURフレーム帯域幅を占める前記WURフレーム内に組み込まれている前記波形符号化されたシンボルについてのビット値を、各波形符号化されたシンボルのサブシンボルの間の相対的なエネルギー分布に基づいて決定するよう構成されたエネルギー検出および判定動作とを有する、
覚醒無線受信器回路。
【請求項２４】
前記フィルタは、少なくとも4でありかつ8以下のフィルタリング係数をもつ、請求項２３記載の覚醒無線受信器回路。
【国際調査報告】
2019537906.tif 000016
2019537906.tif 000017